(57)【要約】【課題】  本発明は通路１の両壁２，２に形成した対立溝４，４の内面５と床面６との交差角部７からの漏水を防止し、洪水時における通路１の両対立溝４，４下端部からの漏水を防止し、かつ既製対立溝４，４に止水板の両端部３’，３’をクレセント１２’その他の楔類等により簡便に密着止水することを目的とする。【解決手段】  通路１の両壁２，２に止水板３両端部３’，３’挿入用対立溝４，４を形成し、上記両端部３’，３’止水面３”，３”に対応する上記対立溝４，４の内面５，５と床面６との交差角部７に傾斜面８を形成し、上記止水面と上記対立溝４，４の内面５，５との圧着装置１２を設けてなる通路用止水装置。【選択図】  図２
2005330739.tif 000002
【特許請求の範囲】
【請求項１】
通路の両壁に止水板両端部挿入用対立溝を形成し、
上記両端部の止水面に対応する上記対立溝の内面と床面との交差角部に傾斜面を形成し、上記止水面と上記対立溝の内面との圧着装置を設けてなる通路用止水装置。
【請求項２】
上記傾斜面を弾性止水材によって形成してなる請求項１記載の通路用止水装置。
【請求項３】
上記傾斜面が上記両対立溝の内幅に等しい床面の通路方向縁に形成された請求項１記載の通路用止水装置。
【請求項４】
上記両対立溝の他方の内面に上記圧着装置による止水板押圧用受板を着脱自在に設けた請求項１〜３のいずれかに記載の通路用止水装置。
【請求項５】
上記床面が上記対立溝間に形成された通路横断方向溝の床面であって、止水板の両端部の止水面に対応する内面が、上記対立溝の内面に代わり通路横断方向溝の両端部内面である請求項１〜４のいずれかに記載の通路用止水装置。
【請求項６】
上記止水板が上板と下板とによって形成され、該上下板の接触面に止水材を配設した請求項１〜５のいずれかに記載の通路用止水装置。
【請求項７】
上記止水板が左板と右板とよりなり、床面の中央部に着脱自在にＩ形柱を設立し、該Ｉ形柱の左右の開口溝内に上記左右板の対向端部を挿入し、該対向端部の止水面に対応する上記開口溝の内面と床面との交差角部に傾斜面を形成した請求項１〜５のいずれかに記載の通路用止水装置。
【発明の詳細な説明】
【技術分野】
【０００１】
本発明は通路の両壁に形成した止水板両端部挿入用対立溝内の床面角部からの漏水を防止する技術に関するものである。
【背景技術】
【０００２】
従来、通路の両壁に止水板の両端部を挿入する対立溝があって、止水板の下面を通路の床面に、上記両端部を両対立溝の内面に止水ゴムを介してクレセントで圧着する通路用防水装置が開発された（例えば特許文献１）。
【０００３】
しかしながら上記対立溝の内面と通路の床面との間には、上記両端部止水ゴムが床面に到着しないための隙間を生じ、この隙間から漏水した（上記文献１第３頁図４…正面側内面２”と弾性止水ゴム４’との間隙）。
【０００４】
【特許文献１】特許第３４５８０７７号公報
【発明の開示】
【発明が解決しようとする課題】
【０００５】
本発明は通路の両壁に形成した対立溝の内面と床面との交差角部からの漏水を防止し、洪水時における通路の両対立溝下端部からの漏水を防止し、かつ既製対立溝に止水板の両端部をクレセントその他の楔類等により簡便に密着止水することを目的とする。
【課題を解決するための手段】
【０００６】
上記の目的を達成する本発明は
第１に通路の両壁に止水板両端部挿入用対立溝を形成し、上記両端部の止水面に対応する上記対立溝の内面と床面との交差角部に傾斜面を形成し、上記止水面と上記対立溝の内面との圧着装置を設けてなる通路用止水装置、
第２に上記傾斜面を弾性止水材によって形成してなる上記第１発明記載の通路用止水装置、
第３に上記傾斜面が上記両対立溝の内幅に等しい床面の通路方向縁に形成された上記第１発明記載の通路用止水装置、
第４に上記両対立溝の他方の内面に上記圧着装置による止水板押圧用受板を着脱自在に設けた上記第１〜第３発明のいずれかに記載の通路用止水装置、
第５に上記床面が上記対立溝間に形成された通路横断方向溝の床面であって、止水板の両端部の止水面に対応する内面が、上記対立溝の内面に代わり通路横断方向溝の両端部内面である上記第１〜第４発明のいずれかに記載の通路用止水装置、
第６に上記止水板が上板と下板とによって形成され、該上下板の接触面に止水材を配設した上記第１〜第５発明のいずれかに記載の通路用止水装置、
第７に上記止水板が左板と右板とよりなり、床面の中央部に着脱自在にＩ形柱を設立し、該Ｉ形柱の左右の開口溝内に上記左右板の対向端部を挿入し、該対向端部の止水面に対応する上記開口溝の内面と床面との交差角部に傾斜面を形成した上記第１〜第５発明のいずれかに記載の通路用止水装置、
によって構成される。
【０００７】
従って上記両対立溝内に止水板の両端部を挿入し、圧着装置によって該両端部を両対立溝の内面に圧着すると同時に、止水板の下面を床面に圧着することによって、
上記両端部止水面に対応する両対立溝の内面と床面との間の残留間隙は上記傾斜面によって充填密封されて該間隙は無くなり、漏水は解消する。
【発明の効果】
【０００８】
本発明は上述のように通路の両壁に形成した両対立溝の下端内面と床面との間からの漏水が防止され、洪水時の防水を充分かつ安全に行うことができる効果がある。
【発明を実施するための最良の形態】
【０００９】
地下室又は地下道等に至る通路１の両壁２，２にコ形対立溝４，４を形成する。
【００１０】
この対立溝４，４は対向方向に開口するステンレス鋼板製溝形埋込み立柱によって形成され、
ステンレス鋼板製の長方形止水板３の両端部３’，３’を上記対立溝４，４に挿入する。
【００１１】
挿入は両対立溝４，４が床面６は勿論天井に接している場合は、図４（イ）図に示すように右端部３’を右側対立溝４に挿入し、その後左端部３’を左側対立溝４内に引戻して図４（ロ）図に示すように挿入する。
【００１２】
両対立溝４，４の上端から天井までに止水板３の高さに等しい空間がある場合は止水板３の両端部３’，３’を両対立溝４，４の上端から摺動させて挿入すれば良い。
【００１３】
上記止水板３は正面の止水面と背面の押圧面とよりなり、
両端部３’，３’の正面止水面３”，３”及び止水板３の全長下面にゴム等による弾性止水材９，９’を貼着し、
上記止水面３”，３”に対応する対立溝４，４の内面５，５と通路１と同一水準の床面６との交差角部７（図２（イ）（ロ）図）にゴム等の直角３角形弾性止水材９”を貼着し、該角部７に該止水材９”の傾斜面８を配設する。
【００１４】
又図３（イ）（ロ）図に示すように上記両対立溝４，４の下端をステンレス鋼板製通路横断レール６”で接続し、
該レール６”の中央部に通路横断方向に若干低い低床面６’を形成し、該低床面６’と対立溝４，４の上記内面５，５との交差角部７，７に傾斜面８，８を形成する。
【００１５】
上記傾斜面８，８の通路方向縁１０，１０間の幅は上記対立溝４，４のそれぞれ内幅Ｗに等しい。又図７（イ）図及び図８（イ）（ロ）（ハ）図に示すように上記レール６”の中央部に通路横断方向溝６ａを形成し、止水板３の両端止水面３”，３”に対応する上記対立溝４，４の内面下端部の上記溝６ａと低床面６’との角部７に上記止水材９”の傾斜面８を配設する。
【００１６】
新設又は既設の両対立溝４，４において他方の内面５’，５’に止水板３の両端部３’，３’を一方の内面５，５（止水面）に押圧する圧着装置１２例えばクレセント１２’又は楔等により止水板３を押圧するための受板１１をボルト１３で上記他方の内面５’，５’に着脱自在に設ける（図１、図５（イ）（ロ）図）。
【００１７】
上記止水板３の両端部３’，３’を図１に示すように対立溝４，４内に配置し、クレセント１２’，１２’の操作腕１２”を把持して直立方向（図４（ロ）図）から水平方向（図４（ハ）図）に回動させることにより、クレセント１２’，１２’の締付ローラ１２ａを受板１１の傾斜面１１’に沿ってストッパ１１”まで上昇させると、上記両端部３’，３’は対立溝４，４の内面５，５に弾性止水材９，９を介して圧着すると同時に止水板３は下降して下面の上記止水材９’を床面６又は低床面６’に圧着し、かつ上記交差角部７の傾斜面８に止水材９，９’が圧着して交差角部７に隙き間が無くなり、漏水が止められる。
【００１８】
上記受板１１は図５（イ）図に示すように既設対立溝４の内面５’にボルト１３で支持され、（ロ）図に示すようにＬ形に形成して通路１側からボルト１３で支持することができる。
【００１９】
上記止水板３は図６、図７（イ）（ロ）図に示すように同一平面内に係合又は重合させた上板３ａと下板３ｂとによって形成され、上板３ａの下端に雄条１４を突設し、下板３ｂの上端に雌条１４’を凹設して該雌雄条１４，１４’を嵌合させて両板３ａ，３ｂを係合させる。
【００２０】
そして雄条１４又は雌条１４’の両側に弾性止水材１５，１５（ゴム製）を接着することによって上下板３ａ，３ｂの境界部を止水することができる。
【００２１】
勿論上下板３ａ，３ｂの左右両端部３’，３’は上記対立溝４，４内に上述のように挿入して止水される。
【００２２】
又図７（イ）（ロ）（ハ）図に示すように動作腕１６にピン１６’で枢支した牽引式掛金１７の上端横腕１７’を上板３ａに設けた鉤金具１８に引掛け、下板３ｂに設けた軸受板１９に軸１９’で枢支した上記動作腕１６を軸１９’を中心に矢印ａ側に倒すことによって上板３ａを下板３ｂ側に牽引してゴム製弾性止水材１５，１５を圧縮し、上下板３ａ，３ｂの境界部を止水することができ、ピン孔２０に横ピン２１を挿通して動作腕１６の戻りを阻止する。
【００２３】
通路１の幅が広い場合は、図８（イ）図に示すように止水板３を左板３ｃと右板３ｂとにより形成し、床面６の中央部にステンレス鋼によるＩ形柱２２を立てる。
【００２４】
上記Ｉ形柱２２の中央直立板２２’の下端には該柱２２の左右開口溝２３，２３内に水平方向片２４，２４を左右に突設し、床面６に設けた止め板２５，２５を中央直立板２２’に向って摺動させて上記水平方向片２４，２４上に重ね、止め板２５，２５に穿設した長孔２６，２６にボルト２７を挿入し、これを床面６に螺入して該止め板２５，２５を床面６に固定することによりＩ形柱２２を床面６上に着脱自在に支持することができる（図８（ロ）（ハ）図、図９（イ）（ロ）図。）
上記左右開口溝２３，２３内には左板３ｃ及び右板３ｄの対向端部３ｃ’，３ｄ’を挿入し（図９（イ）（ロ）図仮想線）、対向端部３ｃ’，３ｄ’の正面止水面３ｃ”，３ｄ”と、該止水面３ｃ”，３ｄ”に対応する上記開口溝２３，２３の内面２３’，２３’と床面６との交差角部７に図２（イ）（ロ）図、図３（イ）（ロ）図に示すように傾斜面８（図９（イ）（ロ）仮想線）を形成して上記開口溝２３，２３の内部の上記交差角部７，７を止水する。
【図面の簡単な説明】
【００２５】
【図１】本発明の通路用止水装置を示す平面図である。
【図２】（イ）図は止水状態を示すもので図１Ａ−Ａ線による縦断側面図、（ロ）図は（イ）図の前工程の縦断側面図、（ハ）図は従来の漏水部を示す縦断側面図である。
【図３】（イ）図は上記両対立溝の下端部を接続する低床面レールによる縦断側面図、（ロ）図は上記レールによる止水状態の縦断側面図である。
【図４】（イ）図は止水板挿入動作状態の平面図、（ロ）図はクレセントの腕の直立状態の平面図、（ハ）図はクレセントの腕の平面回動状態の平面図である。
【図５】（イ）図は既設対立溝の受板を示す平面図、（ロ）図はＬ形受板を示す平面図である。
【図６】上下板よりなる止水板の正面図である。
【図７】（イ）図は図６Ａ−Ａ線による側面図、（ロ）図は（イ）図の一部拡大側面図、（ハ）図は（ロ）図を左方から見た正面図である。
【図８】（イ）図は左右板よりなる止水板の正面図、（ロ）（ハ）図は（イ）図の一部切欠拡大正面図である。
【図９】（イ）図は図８（ロ）図の横断平面図、（ロ）図は図８（ハ）図の横断平面図である。
【符号の説明】
【００２６】
１                通路
２                壁
３                止水板
３ａ                上板
３ｂ                下板
３ｃ                左板
３ｄ                右板
３’                両端部
３ｃ’，３ｄ’      対向端部
３”                両端部止水面
４                  対立溝
５、５’            内面
６                  床面
６ａ                通路用横断方向溝
７                  交差角部
８                  傾斜面
９，９’，９”      弾性止水材
Ｗ                  内幅
１０                通路方向縁
１１                止水板押圧用受板
１２                圧着装置
２２                Ｉ形柱
２３                左右開口溝
２３’              内面
【図１】
2005330739.tif 000003
【図２】
2005330739.tif 000004
【図３】
2005330739.tif 000005
【図４】
2005330739.tif 000006
【図５】
2005330739.tif 000007
【図６】
2005330739.tif 000008
【図７】
2005330739.tif 000009
【図８】
2005330739.tif 000010
【図９】
2005330739.tif 000011